(57)【要約】【課題】  閉塞構成が簡単であるとともに、施工対応性が良好な貫通孔閉塞構造を提供する点にある。【解決手段】防火区画領域にある耐火構造体１に形成された貫通孔Ｂとこれに挿通された可燃性長尺体２との間の隙間に、ペースト状態から硬化するシーリング材４Ａに粉末状又は顆粒状の熱膨張性材４Ｂを混合した熱膨張性耐火材４が充填されている。【選択図】図１
2008111471.tif 000002
【特許請求の範囲】
【請求項１】
防火区画領域にある耐火構造体に形成された貫通孔とこれに挿通された可燃性長尺体との間の隙間に、ペースト状態から硬化するシーリング材に粉末状又は顆粒状の熱膨張性材を混合した熱膨張性耐火材が充填されている貫通孔閉塞構造。
【請求項２】
防火構造体が、表裏に壁部材が用いられて壁部材同士の間に空間が形成されている中空壁から構成され、表裏の壁部材に軸芯を同じに貫通孔が形成され、貫通孔とこれに挿通された可燃性長尺体との間の隙間に、シーリング材に粉末状又は顆粒状の熱膨張性材を混合した熱膨張性耐火材が充填されている貫通孔閉塞構造。
【請求項３】
前記シーリング材が、耐火性を有するシリコンを主材とするペースト状態からゴム状態に硬化するシリコンシーリング材から構成されている請求項１又は２記載の貫通孔閉塞構造。
【請求項４】
前記可燃性長尺体が、内側に防火・防音層が形成され、この層の外側に遮音層が積層形成された被覆層を備える請求項１、２又は３記載の貫通孔閉塞構造。
【発明の詳細な説明】
【技術分野】
【０００１】
本発明は、耐火構造体に形成された貫通孔の内面とこれに挿通された可燃性長尺体との間の隙間を閉塞する貫通孔閉塞構造に関する。
【背景技術】
【０００２】
この種の貫通孔閉塞構造では、万が一に火災が生じた場合、熱膨張性耐火材が熱膨張することによって、可燃性長尺体が焼失した部分を補うことによって、防火構造体で隣り合う火災側の部屋から非火災側の部屋に火災が延焼するのを遅延化する。
従来の貫通孔閉塞構造としては、床や壁等の耐火構造体に形成された貫通孔とこれに挿通される可燃性長尺体との間の隙間に受止め金具を配置して、熱膨張性で粘土質状の耐火材を袋閉じした熱膨張性耐火材を、可燃性長尺体に巻き付け状態で受止め金具に受止め支持させて、隙間に熱膨張性耐火材を充填するものが存在している（例えば、特許文献１を参照）。
【０００３】
【特許文献１】特開２００５−７３３５７号公報（第２〜３頁、図４）
【発明の開示】
【発明が解決しようとする課題】
【０００４】
しかしながら、このような貫通孔閉塞構造においては、貫通孔の大きさに対応する受止め金具を用いて熱膨張性耐火材を受止める構成であるとともに、隙間の容積に対応する熱膨張性耐火材を準備する必要がある。
そのため、施工現場に対応するサイズの熱膨張性耐火材や受止め金具を準備する必要があるので、現場対応性が悪い問題がある。
【０００５】
本発明は上記の事情に鑑みてなされたものであり、その目的とするところは、閉塞構成が簡単であるとともに、施工対応性が良好な貫通孔閉塞構造を提供する点にある。
【課題を解決するための手段】
【０００６】
本発明の第１番目の貫通孔閉塞構造の特徴構成は、防火区画領域にある耐火構造体に形成された貫通孔とこれに挿通された可燃性長尺体との間の隙間に、ペースト状態から硬化するシーリング材に粉末状又は顆粒状の熱膨張性材を混合した熱膨張性耐火材が充填されている点にある。
【０００７】
このような構成によれば、防火区画領域にある耐火構造体に形成された貫通孔とこれに挿通された可燃性長尺体との間の隙間の大きさに関係なく、その大きさに対応する量の熱膨張性耐火材を充填して隙間を閉塞することができる。
そして、万が一に火災が生じた場合であっても、熱膨張性耐火材に混合される熱膨張性材が熱膨張することによって、可燃性長尺体の焼失や変形した部分を補うことによって、防火構造体で隣り合う火災側の部屋から非火災側の部屋に火災が延焼するのを遅延化することができる。
【０００８】
従って、耐火性を備えた貫通孔閉塞構造を簡単な閉塞構成で形成することができる。
しかも、従来のように、隙間に対応した大きさの取付け金具や隙間に対応する容積の熱膨張性耐火材を使用しなければならない貫通孔閉塞構造に比し、施工対応性が良いので施工性の向上を図ることができる。
【０００９】
本発明の第２番目の貫通孔閉塞構造の特徴構成は、前記防火構造体が、表裏に壁部材が用いられて壁部材同士の間に空間が形成されている中空壁から構成され、表裏の壁部材に軸芯を同じに貫通孔が形成され、貫通孔とこれに挿通された可燃性長尺体との間の隙間に、シーリング材に粉末状又は顆粒状の熱膨張性材を混合した熱膨張性耐火材が充填されている点にある。
【００１０】
このような構成によれば、表側の壁部材に形成される貫通孔とこれに挿通される可燃性長尺体との間の隙間と、裏側の壁部材に形成される貫通孔とこれに挿通される可燃性長尺体との間の隙間とに、隙間に対応する量の熱膨張性耐火材を充填することにより、２つの隙間を閉塞して中空壁である耐火構造体を防火区画することができる。
そして、万が一に火災が生じた場合であっても、火災側の壁部材の隙間に充填された熱膨張性耐火材に混合される熱膨張性材が熱膨張することによって、可燃性長尺体が焼失した部分を補うことによって、非火災側の壁部材に火災が延焼するのを遅延化することができ、たとえ火災が非火災側の壁部材の隙間に充填された熱膨張性耐火材に混合される熱膨張性材が熱膨張することによって、可燃性長尺体が焼失した部分を補うことによって、非火災側の部屋に火災が延焼するのを遅延化することができるといった、中空壁に対応した防火区画を構築することができる。
【００１１】
従って、耐火性を備えた貫通孔閉塞構造を簡単な閉塞構成で形成することができる。
しかも、従来のように、隙間に対応した大きさの取付け金具や隙間に対応する容積の熱膨張性耐火材を使用しなければならない貫通孔閉塞構造に比し、施工対応性が良いので熱膨張性耐火材の充填箇所が複数あっても施工性の向上を図ることができる。
【００１２】
本発明の第３番目の貫通孔閉塞構造の特徴構成は、前記シーリング材が、耐火性を有するシリコンを主材とするペースト状態からゴム状態に硬化するシリコンシーリング材から構成されている点にある。
【００１３】
このような構成によれば、隙間にペースト状態にある熱膨張性耐火材を充填することができるので、貫通孔の内面及び可燃性長尺体の外面に対して熱膨張性耐火材の接着性がよいとともに、充填した部分と未充填部分を視覚的に判別することができるので、充填作業を円滑に実行することができる。
そして、ゴム状態に硬化した状態では、貫通孔の内面及び長尺体の外面に密着した状態の接着がなされるので、長期に亘って隙間を閉塞することができる。
【００１４】
従って、作業性、耐火性、閉塞性が良好な貫通孔閉塞構造を形成することができる。
また、熱膨張性耐火材がゴム状態に硬化した状態では、弾性体となるので、可燃性長尺体に起因して該長尺体に振動が生じることがあっても振動が減衰されて、可燃性長尺体からの振動が耐火構造体に伝播することを阻止することができる。
【００１５】
本発明の第４番目の貫通孔閉塞構造の特徴構成は、前記可燃性長尺体が、内側に防火・防音層が形成され、この層の外側に遮音層が積層形成された被覆層を備える点にある。
【００１６】
このような構成によれば、長尺体自体が防火・防音層によって防火区画され、この長尺体が貫通孔との間の隙間に充填された熱膨張性耐火材によって耐火構造体の防火区画がなされるので、万が一の火災に遭遇した場合、例え長尺体の遮音層が焼失する状態になっても、耐火層の熱膨張材が熱膨張して焼失分を補うことによって、貫通孔と長尺体の隙間の閉塞状態が保持することができるので、従来のように、貫通孔に対応する長尺体部分が焼失する状態になって、貫通孔と長尺体の間の隙間に充填された熱膨張性材が焼失した分を補うように熱膨張して火災の遅延化を図る構成に比べて、時間的に長く非火災側の部屋に火災が延焼するのを遅延化することができる。
【００１７】
従って、信頼性の高い防火区画を形成することができる。
【発明を実施するための最良の形態】
【００１８】
以下、本発明の貫通孔閉塞構造の実施例を図面に基づいて説明する。
［実施形態］
この実施形態の貫通孔閉塞構造Ａは、建家の防火構造体である中空壁１に形成された貫通孔Ｂとこれに挿通される可燃性長尺体２との間の隙間Ｓに熱膨張性耐火材４を充填して構成される例を説明する。
【００１９】
前記中空壁１は、図１、図３に示すように、表裏に壁部材１Ａ，１Ｂが用いられて壁部材１Ａ，１Ｂ同士の間に空間１Ｃが形成されて構成されている。この中空壁１の可燃性長尺体２が貫通する対応部分には、表裏の壁部材１Ａ，１Ｂに軸芯を同じに貫通孔Ｂ，Ｂが形成され可燃性長尺体２が挿通されている。
【００２０】
表裏の壁部材１Ａ，１Ｂに形成された貫通孔Ｂ，Ｂとこれに挿通された可燃性長尺体２との間の隙間Ｓ，Ｓに、シーリング材４Ａに粉末状又は顆粒状の熱膨張性材４Ｂを混合した熱膨張性耐火材４が充填されている。
【００２１】
この実施形態のシーリング材４Ａは、耐火性を有するシリコンを主材とするペースト状態からゴム状態に硬化するシリコンシーリング材から構成されている。このシリコンシーリング材４Ａは、密閉空間内でペースト状態を維持し空気開放状態で硬化するものが用いられている。
【００２２】
シリコンシーリング材４Ａは、密閉空間内でペースト状態を維持し空気開放状態で硬化するので、熱膨張性耐火材４は、ペースト状態のシリコンシーリング材４Ａに熱膨張性材４Ｂを混合して形成される。シリコンシーリング材４Ａは、中空壁１を構成する壁部材１Ａ，１Ｂの素材が、石膏ボード、けい酸カルシュウム板等であっても密着性がよいとともに、可燃性長尺体２にアスファルト等の被覆があっても密着性がよい。
【００２３】
前記熱膨張性材４Ｂには、火災時に膨張するように熱膨張性材料の一例である粉末状又は顆粒状の未焼成バーミキュライト等が用いられる。
【００２４】
そして、このような熱膨張性耐火材４Ｂは、例えば、ペースト状態のものを図示しない押し出し器に補填して、この押し出し器から押し出し使用される。
【００２５】
前記可燃性長尺体２は、内側に防火・防音層５が形成されこれの外側に遮音層６が積層形成された被覆チューブＣで被覆された塩化ビニル管８から構成されている。塩化ビニル管８自体は、難燃性はあるものの万が一の火災に遭遇した場合、軟化や焼失を生じるため、防火・防音層５によって火災熱や炎が直接に管自体に及ばない構成にして軟化や焼失の遅延化が図られている。
【００２６】
前記被覆チューブＣの防火・防音層５は、綿塊状のロックウール又はグラスウールを主材に構成され、遮音層６は、アスファルト、ゴム素材、高分子樹脂等を主材に構成され、遮音層６の外周面には、ポリエチレン、ポリプロピレン、塩化ビニル、ＡＢＳ樹脂、ＡＳＳ樹脂等のシート層又は、合成樹脂製の不織布からなる化粧層７が設けられている。
【００２７】
このような構成であれば、表裏の壁部材１Ａ，１Ｂに分かれて形成される貫通孔Ｂ，Ｂとこれら挿通される可燃性長尺体２との間の隙間Ｓ，Ｓの夫々に熱膨張性耐火材４を充填することにより、夫々の隙間Ｓ，Ｓを閉塞して中空壁１である耐火構造体を防火区画することができる。
【００２８】
具体的には、表側の壁部材１Ａに形成された貫通孔Ｓとこれに挿通される可燃性長尺体２との間の隙間Ｓと、裏側の壁部材１Ｂに形成された貫通孔Ｂとこれに挿通される可燃性長尺体２との間の隙間Ｓとに、ペースト状態の熱膨張性耐火材４を押し出し器によって隙間Ｓに対応する量を充填して２つの隙間Ｓ，Ｓを閉塞し、しかる後、充填された熱膨張性耐火材４がゴム状態に硬化するのを待って貫通孔閉塞構造Ａが形成される。
【００２９】
そして、万が一に火災が生じた場合であっても、火災側の壁部材１Ａ（１Ｂ）の隙間に充填された熱膨張性耐火材４に混合される熱膨張性材４Ｂが熱膨張することによって、可燃性長尺体２が焼失や変形した部分を補うことによって、非火災側の壁部材１Ｂ（１Ａ）に火災が延焼するのを遅延化することができ、たとえ火災が非火災側の壁部材１Ｂ（１Ａ）に至った場合であっても、非火災側の壁部材１Ｂ（１Ａ）の隙間Ｓに充填された熱膨張性耐火材４に混合される熱膨張性材４Ｂが熱膨張することによって、可燃性長尺体２が焼失や変形した部分を補うことにより、非火災側の部屋に火災が延焼するのを遅延化することができるといった、中空壁１に対応した防火区画を構築することができる。
【００３０】
しかも、塩化ビニル８管自体が防火・防音層５によって防火区画され、この可燃性長尺体２が貫通孔Ｂとの間の隙間Ｓに充填された熱膨張性耐火材４によって耐火構造体の防火区画がなされるので、万が一の火災に遭遇した場合、例え可燃性長尺体２の遮音層６と化粧層７が焼失する状態になっても、熱膨張性耐火材４の熱膨張性材４Ｂが熱膨張して焼失分を補うことによって、貫通孔Ｂと可燃性長尺体２の隙間Ｓの閉塞状態が保持することができる。
【００３１】
［別実施形態］
１）上記実施形態の貫通孔閉塞構造Ａでは、耐火構造体である中空壁１における表裏の壁部材１Ａ，１Ｂに形成される貫通孔Ｂ，Ｂと、これに挿通された可燃性長尺体２との間の２つの隙間Ｓ，Ｓに、シーリング材４Ａに粉末状又は顆粒状の熱膨張性材４Ｂを混合した熱膨張性耐火材４が充填される例を説明したが、本発明はこれに限らず、シーリング材がゴム状態に硬化した熱膨張性耐火材を断面円形や断面角形等の長尺体に形成したものを充填に用いてもよい。
【００３２】
この場合、表側の壁部材１Ａに形成された貫通孔Ｂとこれに挿通される可燃性長尺体２との間の隙間Ｓと、裏側の壁部材１Ｂに形成された貫通孔Ｂとこれに挿通される可燃性長尺体２との間の隙間Ｓとに、貫通孔Ｂの内周に沿って熱膨張性耐火材を弾性復元力に抗して押し込み充填して２つの隙間Ｓ，Ｓを閉塞することにより貫通孔閉塞構造が形成される。
【００３３】
２）上記実施形態の貫通孔閉塞構造Ａでは、耐火構造体である中空壁１における表裏の壁部材１Ａ，１Ｂに形成される貫通孔Ｂ，Ｂと、これに挿通された可燃性長尺体２との間の２つの隙間Ｓ，Ｓに、シーリング材４Ａに粉末状又は顆粒状の熱膨張性材４Ｂを混合した熱膨張性耐火材４が充填される例を説明したが、本発明はこれに限らず、コンクリート打設された床や壁等の耐火構造体に形成された貫通孔と、これに挿通された可燃性長尺体との間の１つの隙間に、シーリング材に粉末状又は顆粒状の熱膨張性材を混合した熱膨張性耐火材が充填されるものであってもよい。
【００３４】
３）上記実施形態では、貫通孔Ｂとこれに挿通される可燃性長尺体２との間の隙間Ｓに熱膨張性耐火材４を充填する例を説明したが、本発明はこれに限らず、図４に示すように、貫通孔Ｂに挿通される可燃性長尺体２の挿通部分に予めにペースト状態の熱膨張性耐火材４Ｃを塗設した後に、貫通孔Ｓとこれに挿通される可燃性長尺体２との間の隙間Ｓに熱膨張性耐火材４が充填される貫通孔閉塞構造Ａであってもよい。
この場合、可燃性長尺体２が焼失や変形することで、火災側の火災熱や炎が壁部材１Ａ，１Ｂ同士の間の空間１Ｃに至ることがあっても、空間１Ｃ内の可燃性長尺体を取り囲むように熱膨張性耐火材４Ｃが熱膨張して断熱層を形成することで、空間１Ｃ内に延焼するのを遅延化することができる。
【００３５】
４）上記実施形態では、熱膨張性耐火材４を構成するシーリング材４Ａにシリコンシーリング材を用いたものについて説明したが、本発明はこれに限らず、変成シリコン系、ポリイソブチレン系、ポリサルファイド系、アクリルウレタン系、ポリウレタン系、アクリル系等のシーリング材を用いた熱膨張性耐火材であってもよい。
【００３６】
５）上記実施形態では、可燃性長尺体２が排水管であるものについて説明したが、これに限らず、銅管に合成樹脂材からなる断熱層が被覆された空調用配管や電線ケーブルであってもよい。また、可燃性長尺体は、被覆チューブＣが被覆されているものに限らず、図５に示すように、被覆チューブＣが被覆されていない排水管等の可燃性長尺体であっても同様の作用効果を生じる。
【図面の簡単な説明】
【００３７】
【図１】中空壁の貫通孔閉塞構造の要部を示す側断面図
【図２】貫通孔閉塞構造の要部を示す正断面図
【図３】中空壁の貫通孔の可燃性長尺体が挿通された状態を示す側断面図
【図４】別実施形態の貫通孔閉塞構造の要部を示す側断面図
【図５】被覆チューブが被覆されていない可燃性長尺体が対象の場合の貫通孔閉塞構造の要部を示す側断面図
【符号の説明】
【００３８】
Ａ          貫通孔閉塞構造
Ｂ          貫通孔
Ｓ          隙間
１          中空壁（耐火構造体）
１Ａ        表側の壁部材
１Ｂ        裏側の壁部材
１Ｃ        空間
２          可燃性長尺体
４          熱膨張性耐火材
４Ａ        シーリング材
４Ｂ        熱膨張性材
５          防火・遮音層
６          遮音層
【図１】
2008111471.tif 000003
【図２】
2008111471.tif 000004
【図３】
2008111471.tif 000005
【図４】
2008111471.tif 000006
【図５】
2008111471.tif 000007